(57)【特許請求の範囲】
【請求項１】
２４時間タイマーのカウント中に外気温度検知手段（８）により検知された最高気温のタイミングをタイミングデータ（Ｔ1），（Ｔ2）・・として記憶しておく記憶部（１１）と、該記憶部（１１）に記憶されたタイミングデータ（Ｔ1），（Ｔ2）・・に関して前後所定時間（ｔ1）内にあるタイミングデータ群（Ａ），（Ｂ）・・のデータ数をカウントし、最もデータ数の多い群についてその平均値（Ｔａｖｅ）を演算する演算部（１２）と、該演算部（１２）により求められた平均値（Ｔａｖｅ）を基準としてその後設定時間（ｔ）経過後に空気調和機に対して所定の運転状態に移行するように制御信号を出力する制御部（１３）とを備えており、前記記憶部（１１）に記憶されているタイミングデータ数に応じてタイミングデータ群（Ａ），（Ｂ）・・を規定する前記所定時間（ｔ1）を変更するようにしたことを特徴とする空気調和機の制御装置。
【請求項２】
前記タイミングデータ数が多くなるにしたがって前記所定時間（ｔ1）を短く設定するようにしたことを特徴とする前記請求項１記載の空気調和機の制御装置。
【請求項３】
前記制御部（１３）からの制御信号により移行される所定の運転状態を夜間低騒音運転としたことを特徴とする前記請求項１および２のいずれか一項記載の空気調和機の制御装置。
【発明の詳細な説明】
【０００１】
【発明の属する技術分野】
【０００２】
本願発明は、空気調和機の制御装置に関し、さらに詳しくは空気調和機を所定の運転状態（例えば、夜間低騒音運転）に移行させるタイミングを的確に設定できるようにした空気調和機の制御装置に関するものである。
【従来の技術】
【０００３】
例えば、コンビニエンスストアのような２４時間営業の店舗が住宅地に存在している場合には、夜間には空気調和機の運転音を下げた運転（即ち、圧縮機の運転周波数の上限値を下げ且つ室外ファン回転数の上限値を下げる夜間低騒音運転）を行う必要が生じるケースがある。
【０００４】
ところが、空気調和機には、タイマーカウント機能（例えば、２４時間タイマーカウント機能）は内蔵されているが、時刻を認識する機能を有していないため、ユーザがその時刻になったら夜間低騒音運転に手動により運転切換を行わなければならなかった。
【０００５】
一方、ユーザがその時刻になったら手動で切り替えるという煩雑な方法を避けるために、空気調和機に時刻を認識する機能を持たせるという方法もあるが、その場合、コストアップになるだけでなく、停電後などにユーザが時刻を設定しなおす必要があるという新たな問題が生ずる。
【０００６】
そこで、図４（イ）に示すように、一日の気温変化のパターンがほぼ類似していることに着目して、空気調和機に内蔵した２４時間タイマーのカウント中において、図４（ロ）に示すように、最高気温を記録したタイミングを複数日に亙ってタイミングデータＴ1〜Ｔ5として記憶しておき、これらのタイミングデータＴ1〜Ｔ5の平均値Ｔａｖｅを求めて、その時刻を例えば午後２時頃と設定し、この時刻から８時間が経過した（即ち、タイマーが８時間をカウントした）午後１０時頃に、空気調和機を自動的に夜間低騒音運転に移行させる方法が考えられている。
【発明が解決しようとする課題】
【０００７】
ところが、上記した方法の場合、図５（イ）に示すように、昼頃から雨が降った日などには、最高気温を記録したタイミングが午後２時頃から大きくずれてしまうことがある。すると、図５（ロ）に示すように、この大きく外れたタイミングデータＴ3が存在するために、これ以後複数日に亙って平均値Ｔａｖｅが大きくずれてしまうこととなる。その結果、この平均値Ｔａｖｅを基準として空気調和機の夜間低騒音運転移行時間が決定されることとなり、夜間低騒音運転開始時間が最適時間からずれてしまって、近隣に不快感を与えるおそれが生ずる。
【０００８】
本願発明は、上記の点に鑑みてなされたもので、最高気温の平均値を求めるに当たって、最もデータ数の多い群について平均値を求めることとし、これによりより正確な時刻設定を可能ならしめるようにすることを目的とするものである。
【課題を解決するための手段】
【０００９】
請求項１の発明では、上記課題を解決するための手段として、２４時間タイマーのカウント中に外気温度検知手段８により検知された最高気温のタイミングをタイミングデータＴ1，Ｔ2・・として記憶しておく記憶部１１と、該記憶部１１に記憶されたタイミングデータＴ1，Ｔ2・・に関して前後所定時間ｔ1内にあるタイミングデータ群Ａ，Ｂ・・のデータ数をカウントし、最もデータ数の多い群についてその平均値Ｔａｖｅを演算する演算部１２と、該演算部１２により求められた平均値Ｔａｖｅを基準としてその後設定時間ｔ経過後に空気調和機に対して所定の運転状態に移行するように制御信号を出力する制御部１３とを備えて構成するとともに、前記記憶部１１に記憶されているタイミングデータ数に応じてタイミングデータ群Ａ，Ｂ・・を規定する前記所定時間ｔ1を変更するようにしている。
【００１０】
上記のように構成したことにより、２４時間タイマーのカウント中に記録された最高気温のタイミングがタイミングデータＴ1，Ｔ2・・として記憶され、これらの記憶されたタイミングデータＴ1，Ｔ2・・に関して前後所定時間ｔ1内にあるタイミングデータ群Ａ，Ｂ・・のデータ数がカウントされ、最もデータ数の多い群についてその平均値Ｔａｖｅが求められ、この平均値Ｔａｖｅを基準としてその後設定時間ｔ経過後に空気調和機が所定の運転状態に移行せしめられることとなる。つまり、基準となる平均値Ｔａｖｅにずれが生じにくくなるところから、毎日ほぼ同時刻に空気調和機を所定の運転状態に自動的に移行させることができるのである。しかも、記憶されているタイミングデータ数に応じてタイミングデータ群Ａ，Ｂ・・を規定する前記所定時間ｔ1を最適値に変更できることとなり、基準となる平均値Ｔａｖｅによりずれが生じにくくなる。
【００１１】
請求項２の発明におけるように、請求項１記載の空気調和機の制御装置において、前記タイミングデータ数が多くなるにしたがって前記所定時間ｔ1を短く設定するようにした場合、基準となる平均値Ｔａｖｅにより一層ずれが生じにくくなる。
【００１２】
請求項３の発明におけるように、請求項１および２のいずれか一項記載の空気調和機の制御装置において、前記制御部１３からの制御信号により移行される所定の運転状態を夜間低騒音運転とした場合、夜間低騒音運転開始時期が毎日ほぼ同時刻となり、近隣へ不快感を与えるということがなくなる。
【発明の実施の形態】
【００１３】
以下、添付の図面を参照して、本願発明の好適な実施の形態について詳述する。
【００１４】
この空気調和機は、図１に示すように、圧縮機１、四路切換弁２、冷房運転時に凝縮器として作用し且つ暖房運転時に蒸発器として作用する室外熱交換器３、電動膨張弁４、冷房運転時に蒸発器として作用し且つ暖房運転時に凝縮器として作用する室内熱交換器５および前記四路切換弁２を順次冷媒配管により接続してなる冷媒回路を備えて構成されており、前記四路切換弁２を切換作動させることにより、冷媒回路を冷媒が可逆循環し得るように構成されている。符号６は室外ファン、７は室内ファン、８は外気温度検出手段として作用する外気温センサーである。
【００１５】
前記圧縮機１、前記四路切換弁２、前記室外熱交換器３および前記電動膨張弁４により室外ユニットＸが構成されており、該室外ユニットＸには、マイクロコンピュータユニット９（以下、マイコンと略称する）が内蔵されている。
【００１６】
前記マイコン９は、前記外気温センサー８からの温度情報が入力される検知部１０と、該検知部１０に入力された温度情報のうち２４時間タイマー（マイコンに内蔵されている）のカウント中における最高気温のタイミングをタイミングデータＴ1，Ｔ2・・（図２参照）として記憶しておく記憶部１１と、該記憶部１１に記憶されたタイミングデータＴ1，Ｔ2・・に関して前後所定時間ｔ1（図２参照）内にあるタイミングデータ群Ａ，Ｂ，Ｃのデータ数をカウントし、最もデータ数の多い群Ｃについてその平均値Ｔａｖｅ＝（Ｔ1＋Ｔ2＋Ｔ4＋Ｔ5）／４を演算する演算部１２と、該演算部１２により求められた平均値Ｔａｖｅを基準（例えば、１４時）としてその後設定時間ｔ（例えば、８時間）経過後に空気調和機に対して所定の運転状態に移行するように制御信号を出力する制御部１３とを備えて構成されている。
【００１７】
前記制御部１３からの制御信号により移行される所定の運転状態とは、圧縮機１の運転周波数の上限値を下げ且つ室外ファン６，６の回転数の上限値を下げる夜間低騒音運転とされている。
【００１８】
上記マイコン９による制御の内容を図３に示すフローチャートを参照して説明する。
【００１９】
ステップＳ１において外気温センサー８により外気温がモニターされ、外気温情報がマイコン９の検知部１０に入力される。ステップＳ２においては、２４時間タイマー（マイコンに内蔵されている）のカウント中における最高気温のタイミングがタイミングデータＴ1，Ｔ2・・（図２参照）として記憶部１１に記憶され。ステップＳ３において１週間のタイミングデータＴ1〜Ｔ7の平均値Ｔａｖｅが求められる。この時、記憶部１１に記憶されたタイミングデータＴ1〜Ｔ7に関して前後所定時間ｔ1（図２参照）内にあるタイミングデータ群Ａ，Ｂ，Ｃのデータ数をカウントし、最もデータ数の多い群Ｃについてその平均値Ｔａｖｅ＝（Ｔ1＋Ｔ2＋Ｔ4＋Ｔ5）／４が演算部１２によって演算される。ステップＳ４においては、演算部１２により求められた平均値Ｔａｖｅを基準（例えば、１４時）としてその後設定時間ｔ（例えば、８時間）経過後に空気調和機が、圧縮機１の運転周波数の上限値を下げ且つ室外ファン６，６の回転数の上限値を下げる夜間低騒音運転に移行される。
【００２０】
上記したように、本実施の形態においては、２４時間タイマーのカウント中に記録された最高気温のタイミングがタイミングデータＴ1，Ｔ2・・として記憶され、これらの記憶されたタイミングデータＴ1，Ｔ2・・に関して前後所定時間ｔ1内にあるタイミングデータ群Ａ，Ｂ・・のデータ数がカウントされ、最もデータ数の多い群Ｃについてその平均値Ｔａｖｅが求められ、この平均値Ｔａｖｅを基準としてその後設定時間ｔ経過後に空気調和機が夜間低騒音運転に移行せしめられるようにしたので、基準となる平均値Ｔａｖｅにずれが生じにくくなるところから、毎日ほぼ同時刻に空気調和機を夜間低騒音運転に自動的に移行させることができるのである。従って、近隣に不快感を与えることがなくなる。
【００２１】
また、前記タイミングデータ群Ａ，Ｂ，Ｃを規定する所定時間ｔ1は、例えば２時間とされるが、前記記憶部１１に記憶されているタイミングデータ数Ｔ1，Ｔ2・・に応じて前記所定時間ｔ1を変更するようにしてもよく、その場合、記憶されているタイミングデータ数Ｔ1，Ｔ2・・に応じて所定時間ｔ1を最適値に変更できることとなり、基準となる平均値Ｔａｖｅによりずれが生じにくくなり、その場合、前記タイミングデータ数Ｔ1，Ｔ2・・が多くなるにしたがって前記所定時間ｔ1を短く設定すれば、基準となる平均値Ｔａｖｅにより一層ずれが生じにくくなる。
【発明の効果】
【００２２】
請求項１の発明によれば、２４時間タイマーのカウント中に外気温度検知手段８により検知された最高気温のタイミングをタイミングデータＴ1，Ｔ2・・として記憶しておく記憶部１１と、該記憶部１１に記憶されたタイミングデータＴ1，Ｔ2・・に関して前後所定時間ｔ1内にあるタイミングデータ群Ａ，Ｂ・・のデータ数をカウントし、最もデータ数の多い群Ｃについてその平均値Ｔａｖｅを演算する演算部１２と、該演算部１２により求められた平均値Ｔａｖｅを基準としてその後設定時間ｔ経過後に空気調和機に対して所定の運転状態に移行するように制御信号を出力する制御部１３とを備えて構成して、２４時間タイマーのカウント中に記録された最高気温のタイミングがタイミングデータＴ1，Ｔ2・・として記憶され、これらの記憶されたタイミングデータＴ1，Ｔ2・・に関して前後所定時間ｔ1内にあるタイミングデータ群Ａ，Ｂ・・のデータ数がカウントされ、最もデータ数の多い群Ｃについてその平均値Ｔａｖｅが求められ、この平均値Ｔａｖｅを基準としてその後設定時間ｔ経過後に空気調和機が所定の運転状態に移行せしめられるようにしたので、基準となる平均値Ｔａｖｅにずれが生じにくくなるところから、毎日ほぼ同時刻に空気調和機を所定の運転状態に自動的に移行させることができるという効果がある。しかも、記憶部１１に記憶されているタイミングデータ数に応じてタイミングデータ群Ａ，Ｂ・・を規定する前記所定時間ｔ1を変更するようにしているので、記憶されているタイミングデータ数に応じてタイミングデータ群Ａ，Ｂ・・を規定する前記所定時間ｔ1を最適値に変更できることとなり、基準となる平均値Ｔａｖｅによりずれが生じにくくなるという効果もある。
【００２３】
請求項２の発明におけるように、請求項１記載の空気調和機の制御装置において、前記タイミングデータ数が多くなるにしたがって前記所定時間ｔ1を短く設定するようにした場合、基準となる平均値Ｔａｖｅにより一層ずれが生じにくくなる。
【００２４】
請求項３の発明におけるように、請求項１および２のいずれか一項記載の空気調和機の制御装置において、前記制御部１３からの制御信号により移行される所定の運転状態を夜間低騒音運転とした場合、夜間低騒音運転開始時期が毎日ほぼ同時刻となり、近隣へ不快感を与えるということがなくなる。
【図面の簡単な説明】
【図１】  本願発明の実施の形態にかかる空気調和機の冷媒回路図である。
【図２】  本願発明の実施の形態にかかる空気調和機の制御装置における平均値演算のためのタイミングデータの分布例を示す模式図である。
【図３】  本願発明の実施の形態にかかる空気調和機の制御装置における制御の内容を示すフローチャートである。
【図４】  （イ）は一般の気温変化パターンを示すタイムチャートであり、（ロ）はそのときの平均値演算のためのタイミングデータの分布例を示す模式図である。
【図５】  （イ）は２日目の昼頃に雨が降った場合の気温変化パターンを示すタイムチャートであり、（ロ）はそのときの平均値演算のためのタイミングデータの分布例を示す模式図である。
【符号の説明】
１は圧縮機、３は室外熱交換器、４は電動膨張便、５は室内熱交換器、６は室外ファン、８は外気温度検出手段（外気温センサー）、９はマイクロコンピュータユニット（マイコン）、１０は検知部、１１は記憶部、１２は演算部、１３は制御部、Ｔ1，Ｔ2・・はタイミングデータ、Ａ，Ｂ・・はタイミングデータ群、ｔは設定時間、ｔ1は所定時間。
【図１】
0004134539.tif 000002
【図２】
0004134539.tif 000003
【図３】
0004134539.tif 000004
【図４】
0004134539.tif 000005
【図５】
0004134539.tif 000006